(57)【特許請求の範囲】
【請求項１】
光伝送路を通じて、複数のチャネルが波長分割多重され、各チャネルの送信元が同一、かつ、各チャネルの送信先が同一のスーパーチャネル信号を伝送する複数の光伝送装置と、前記光伝送装置を管理する管理装置とを有する光伝送システムであって、
前記光伝送装置は、
前記スーパーチャネル信号内の各チャネルの光強度を調整する調整部と、
前記管理装置からの調整量に基づき、前記調整部を制御する制御部と
を有し、
前記管理装置は、
前記光伝送システム内の前記光伝送装置毎のシステム情報に基づき、前記光伝送装置側の前記調整部で調整出力する前記スーパーチャネル信号内のチャネル間の光強度差が基準閾値を超えないように、前記調整量を算出する演算部と、
前記演算部によって算出された前記調整量を前記光伝送装置に通知する通知部と
を有することを特徴とする光伝送システム。
【請求項２】
前記演算部は、
前記スーパーチャネル信号内の中央帯域のチャネルの光強度を前記スーパーチャネル信号内のエッジ帯域のチャネルの光強度より小さくする前記調整量を算出することを特徴とする請求項１に記載の光伝送システム。
【請求項３】
前記システム情報は、
前記光伝送装置の種別毎に、基準調整量と、前記スーパーチャネル信号が通過した通過段数に応じた調整増減量とを含み、
前記演算部は、
前記基準調整量及び、前記通過段数に応じた調整増減量に基づき、前記調整量を算出することを特徴とする請求項１又は２に記載の光伝送システム。
【請求項４】
前記演算部は、
前記スーパーチャネル信号内の各チャネルの光強度を減衰する減衰量を前記調整量として算出することを特徴とする請求項１〜３の何れか一つに記載の光伝送システム。
【請求項５】
前記調整部は、前記スーパーチャネル信号内の各チャネルの位相を調整し、
前記演算部は、前記スーパーチャネル信号内のチャネル間の位相差が基準閾値を超えないように、前記スーパーチャネル信号内の各チャネルの位相回転を調整する位相回転量を前記調整量として算出することを特徴とする請求項１〜４の何れか一つに記載の光伝送システム。
【請求項６】
前記光伝送装置は、
前記スーパーチャネル信号のスペクトル情報を検出する検出部を有し、
前記制御部は、
前記検出部によって検出された前記スペクトル情報に基づき、前記スーパーチャネル信号が基準閾値を超えないように、前記調整量を補正することを特徴とする請求項１〜５の何れか一つに記載の光伝送システム。
【請求項７】
前記光伝送装置は、
前記光伝送路を通じて前記スーパーチャネル信号を受信する受信部を有し、
前記受信部は、
前記スーパーチャネル信号のスペクトル情報を検出する検出部と、
前記検出部にて検出されたスペクトル情報を、前記スーパーチャネル信号を送信した上流側の光伝送装置に通知する通知部と
を有し、
前記制御部は、
下流側の光伝送装置から前記スペクトル情報を検出すると、前記スペクトル情報に基づき、前記スーパーチャネル信号内のチャネル間の光強度差が基準閾値を超えないように、前記調整量を補正することを特徴とする請求項１〜５の何れか一つに記載の光伝送システム。
【請求項８】
前記光伝送装置は、
前記スーパーチャネル信号を前記光伝送路に送信する送信部を有し、
前記送信部は、
前記スーパーチャネル信号内のチャネル間の光強度差が基準閾値を超えないように前記スーパーチャネル信号を調整する調整部を内蔵し、この調整部にて調整された前記スーパーチャネル信号を前記光伝送路に送信出力することを特徴とする請求項１〜５の何れか一つに記載の光伝送システム。
【請求項９】
前記光伝送装置は、
前記スーパーチャネル信号を前記光伝送路から受信する受信部を有し、
前記受信部は、
前記スーパーチャネル信号内のチャネル間の光強度差が基準閾値を超えないように前記スーパーチャネル信号を調整する調整部を内蔵し、この調整部にて調整された前記スーパーチャネル信号を受信出力することを特徴とする請求項１〜５の何れか一つに記載の光伝送システム。
【請求項１０】
前記制御部は、
前記スペクトル情報に基づき、前記スーパーチャネル信号内の中央帯域のチャネルと、前記スーパーチャネル信号内の帯域の内、前記中央帯域以外の帯域のチャネルとの差分で光強度差を算出し、算出された光強度差が前記基準閾値を超えないように、前記調整量を補正することを特徴とする請求項６に記載の光伝送システム。
【請求項１１】
光伝送路を通じて、複数のチャネルが波長分割多重され、各チャネルの送信元が同一、かつ、各チャネルの送信先が同一のスーパーチャネル信号を伝送する光伝送装置であって、
前記スーパーチャネル信号内の各チャネルの光強度を調整する調整部と、
前記スーパーチャネル信号内のチャネル間の光強度差が基準閾値を超えないように調整する調整量を検出し、この調整量に基づき、前記調整部を制御する制御部と
を有することを特徴とする光伝送装置。
【請求項１２】
光伝送路を通じて、複数のチャネルが波長分割多重され、各チャネルの送信元が同一、かつ、各チャネルの送信先が同一のスーパーチャネル信号を伝送する複数の光伝送装置を管理するコンピュータのプログラムであって、
光伝送システム内の前記光伝送装置毎のシステム情報に基づき、前記光伝送装置側の調整部で調整出力する前記スーパーチャネル信号内のチャネル間の光強度差が基準閾値を超えないように、前記光伝送装置側の調整出力を調整する調整量を算出し、
算出された前記調整量を前記光伝送装置に通知する
各処理を前記コンピュータに実行させることを特徴とする信号調整プログラム。
【請求項１３】
光伝送路を通じて、複数のチャネルが波長分割多重され、各チャネルの送信元が同一、かつ、各チャネルの送信先が同一のスーパーチャネル信号を伝送する複数の光伝送装置と、前記光伝送装置を管理する管理装置とを有する光伝送システムの信号調整方法であって、
前記管理装置は、
前記光伝送システム内の前記光伝送装置毎のシステム情報に基づき、前記光伝送装置側の調整部で調整出力する前記スーパーチャネル信号内のチャネル間の光強度差が基準閾値を超えないように、前記光伝送装置側の前記調整部を調整する調整量を算出し、算出された前記調整量を前記光伝送装置に通知し、
前記光伝送装置は、
前記管理装置からの前記調整量に基づき、前記スーパーチャネル信号内の各チャネルの光強度を調整する調整部を制御する
各処理を実行することを特徴とする信号調整方法。
【発明の詳細な説明】
【技術分野】
【０００１】
本発明は、光伝送システム、光伝送装置、信号調整プログラム及び信号調整方法に関する。
【背景技術】
【０００２】
直交周波数分割多重（ＯＦＤＭ：Orthogonal  Frequency  Division  Multiplexing)技術やＮｙｑｕｉｓｔ−ＷＤＭ（Wavelength  Division  Multiplexing）技術は、周波数の利用効率を向上させる技術として有力視されている。ＯＦＤＭ技術やＮｙｑｕｉｓｔ−ＷＤＭ技術を用いて複数のサブチャネル信号を多重化し、一つの信号と見なすスーパーチャネル（Superchannel）という概念が１００Ｇｂｐｓ以上の伝送率が要求される光伝送システムに採用されている。
【０００３】
また、光分岐挿入装置（ＯＡＤＭ：Optical  Add-Drop  Multiplexer）の波長帯域フィルタ側で透過出力した光波形のエッジ部分の劣化を解消するために、そのエッジ部分を透過するフィルタの透過特性を上げる技術が知られている。
【先行技術文献】
【非特許文献】
【０００４】
【非特許文献１】Ｓ．Ｃｈａｎｄｒａｓｅｋｈａｒ  ａｎｄ  Ｘｉａｎｇ  Ｌｉｕ，  ＯＦＣ２０１１  ＯＭＲ５
【発明の概要】
【発明が解決しようとする課題】
【０００５】
図３１は、光伝送路上の信号品質差が生じた例を示す説明図である。光伝送システム２００内の光伝送装置２０１は、光伝送路２０２にスーパーチャネル信号を送出する際、光伝送路２０２上の光増幅器や光フィルタ等の光部品の波長依存の利得又は損失が要因で、スーパーチャネル信号内のサブチャネル信号間で信号品質差が生じる。
【０００６】
また、光伝送装置２０１は、ＷＳＳ（波長選択スイッチ：Wavelength  selective  switch）２１１を内蔵している。ＷＳＳ２１１は、光伝送路２０２上で受信したスーパーチャネル信号内のサブチャネル信号の利得を調整し、調整したスーパーチャネル信号を光伝送路２０２に送出する。
【０００７】
図３２は、スーパーチャネル信号のエッジ帯域部分で狭窄化が生じた例を示す説明図である。スーパーチャネル信号は、光伝送路２０２上でＡｄｄ−Ｄｒｏｐ（光挿入−分岐）が繰り返されると、ＷＳＳ２１１の透過特性で両側のエッジ帯域部分にあるサブチャネル信号のスペクトル幅が狭窄化し、光伝送品質の劣化が生じる。
【０００８】
一つの側面では、光伝送路上を伝送する波長分割多重光を調整して光伝送品質の劣化を改善する光伝送システム等を提供することを目的とする。
【課題を解決するための手段】
【０００９】
開示の態様は、光伝送路を通じて波長分割多重光を伝送する複数の光伝送装置と、前記光伝送装置を管理する管理装置とを有する光伝送システムである。前記光伝送装置は、前記波長分割多重光内の各チャネルの光強度を調整する調整部と、前記管理装置からの調整量に基づき、前記調整部を制御する制御部とを有する。前記管理装置は、前記光伝送システム内の前記光伝送装置毎のシステム情報に基づき、前記光伝送装置側の前記調整部で調整出力する前記波長分割多重光内のチャネル間の光強度差が基準閾値を超えないように、前記調整量を算出する演算部を有する。前記管理装置は、前記演算部によって算出された前記調整量を前記光伝送装置に通知する通知部を有する。
【発明の効果】
【００１０】
開示の態様では、光伝送路上を伝送する波長分割多重光を調整して光伝送品質の劣化を改善できる。
【図面の簡単な説明】
【００１１】
【図１】図１は、実施例１の光伝送システムの一例を示す説明図である。
【図２】図２は、実施例１の光伝送システム内の光伝送装置の一例（Ａｄｄ−Ｄｒｏｐモード時）を示す説明図である。
【図３】図３は、光伝送装置の一例（スルーモード時）を示す説明図である。
【図４】図４は、光伝送装置の一例（信号品質差発生時）を示す説明図である。
【図５】図５は、光伝送装置のサブチャネル信号調整のプロファイルの一例を示す説明図である。
【図６】図６は、光伝送装置のスルーモード時のサブチャネル信号調整のプロファイルの一例を示す説明図である。
【図７】図７は、光伝送装置のＡｄｄ−Ｄｒｏｐモード時のサブチャネル信号調整のプロファイルの一例を示す説明図である。
【図８】図８は、実施例１の第１の調整量設定処理に関わる光伝送システムの処理動作の一例を示すフローチャートである。
【図９】図９は、実施例２の光伝送システム内の光伝送装置の一例を示す説明図である。
【図１０】図１０は、実施例２の第２の調整量設定処理に関わる光伝送システムの処理動作の一例を示すフローチャートである。
【図１１】図１１は、実施例２の光伝送装置のサブチャネル信号間の出力差を算出する処理の一例を示す説明図である。
【図１２】図１２は、実施例２の光伝送装置のサブチャネル信号間の出力差を算出する処理の一例を示す説明図である。
【図１３】図１３は、実施例３の光伝送システム内の光伝送装置の一例を示す説明図である。
【図１４】図１４は、実施例３の第３の調整量設定処理に関わる光伝送システムの処理動作の一例を示すフローチャートである。
【図１５】図１５は、実施例３の第４の調整量設定処理に関わる光伝送システムの処理動作の一例を示すフローチャートである。
【図１６】図１６は、実施例４の光伝送システム内の光伝送装置の一例を示す説明図である。
【図１７】図１７は、実施例４の第５の調整量設定処理に関わる光伝送システムの処理動作の一例を示すフローチャートである。
【図１８】図１８は、実施例４の第６の調整量設定処理に関わる光伝送システムの処理動作の一例を示すフローチャートである。
【図１９】図１９は、実施例５の光伝送システム内の光伝送装置の一例を示す説明図である。
【図２０】図２０は、実施例５の第７の調整量設定処理に関わる光伝送システムの処理動作の一例を示すフローチャートである。
【図２１】図２１は、実施例５の光伝送システム内の光伝送装置のモニタ信号転送の動作の一例を示す説明図である。
【図２２】図２２は、実施例６の光伝送システム内の光伝送装置の一例を示す説明図である。
【図２３】図２３は、実施例６の光伝送装置の調整機能付き送信部の一例を示す説明図である。
【図２４】図２４は、実施例６の光伝送装置の調整機能付き送信部の一例を示す説明図である。
【図２５】図２５は、実施例６の光伝送装置の調整機能付き送信部の一例を示す説明図である。
【図２６】図２６は、実施例７の光伝送システム内の光伝送装置の一例を示す説明図である。
【図２７】図２７は、実施例７の光伝送装置の調整機能付き受信部の一例を示す説明図である。
【図２８】図２８は、実施例７の光伝送装置の調整機能付き受信部の一例を示す説明図である。
【図２９】図２９は、実施例７の光伝送装置の調整機能付き受信部の一例を示す説明図である。
【図３０】図３０は、信号調整プログラムを実行するコンピュータの一例を示す説明図である。
【図３１】図３１は、光伝送路上で信号品質差が生じた例を示す説明図である。
【図３２】図３２は、スーパーチャネル信号のエッジ帯域部分で狭窄化が生じた例を示す説明図である。
【発明を実施するための形態】
【００１２】
以下、図面に基づいて、本願の開示する光伝送システム、光伝送装置、信号調整プログラム及び信号調整方法の実施例を詳細に説明する。尚、本実施例により、開示技術が限定されるものではない。また、以下に示す各実施例は、矛盾を起こさない範囲で適宜組み合わせても良い。
【実施例１】
【００１３】
図１は、実施例１の光伝送システムの一例を示す説明図である。図１に示す光伝送システム１は、光ファイバ等の光伝送路４で接続される複数の光伝送装置２と、複数の光伝送装置２を管理する管理装置３とを有する。尚、光伝送装置２は、光伝送路４との間で、波長分割多重光、例えば、直交分割多重方式（ＯＦＤＭ方式）のスーパーチャネル信号を伝送する。
【００１４】
図２は、実施例１の光伝送システム１内の光伝送装置２の一例（Ａｄｄ−Ｄｒｏｐモード時）を示す説明図である。図２に示す光伝送装置２は、第１の光増幅部１１と、光分岐部１２と、受信部１３と、送信部１４と、調整機能付きＷＳＳ１５と、第２の光増幅部１６と、制御部１７とを有する。第１の光増幅部１１は、光伝送路４を通じて受信したスーパーチャネル信号を増幅する。光分岐部１２は、受信したスーパーチャネル信号を光分岐する。受信部１３は、光分岐部１２で光分岐されたスーパーチャネル信号を受信する機能を有する。送信部１４は、スーパーチャネル信号を光伝送路４上に送信する機能を有する。
【００１５】
調整機能付きＷＳＳ１５は、光波長毎に異なるスーパーチャネル信号を切替選択する機能や、受信したスーパーチャネル信号に送信部１４から得たスーパーチャネル信号を光挿入するＡｄｄ機能を備えている。更に、調整機能付きＷＳＳ１５は、受信したスーパーチャネル信号内のサブチャネル信号間の出力差(サブチャネル信号間の光強度差)及び位相差を解消する方向に、スーパーチャネル信号内の各サブチャネル信号の利得及び位相回転量を調整する。
【００１６】
制御部１７は、調整量に基づき、調整機能付きＷＳＳ１５の透過特性を制御する。尚、調整量は、スーパーチャネル信号内のサブチャネル信号の利得を調整する減衰量と、サブチャネル信号の位相を調整する位相回転量等とを有する。調整機能付きＷＳＳ１５は、サブチャネル信号、１チャネル分の周波数帯域幅よりも短い周波数間隔単位で、例えば、サブチャネル信号の中心周波数で利得や位相回転量を調整するものである。尚、説明の便宜上、調整機能付きＷＳＳ１５は、各サブチャネル信号の中心周波数の利得を調整するが、中心周波数に限定されるものではない。また、第２の光増幅部１６は、調整機能付きＷＳＳ１５で調整されたスーパーチャネル信号を増幅して光伝送路４上に伝送する。
【００１７】
また、管理装置３は、例えば、汎用のパーソナルコンピュータやワークステーション等で構成され、光伝送システム１内の全ての光伝送装置２とＬＡＮ（Local  Area  Network）等で接続される。管理装置３は、管理部３Ａと、演算部３Ｂと、通知部３Ｃとを有する。管理部３Ａは、光伝送システム１内のシステム情報を管理する。システム情報は、光伝送システム１内の光伝送装置２が接続するネットワークのトポロジ情報と、光伝送システム１内の光伝送装置２に関わる装置情報とを含む、光伝送システム１内の運用情報である。装置情報は、光伝送装置２毎の調整機能付きＷＳＳ１５の設定状況と、その設定状況に応じた透過段数１段相当の減衰増減量及び位相増減量等の調整量とを含む。
【００１８】
設定状況は、光伝送装置２側のＷＳＳの設定モードがスルーモード又はＡｄｄ−Ｄｒｏｐモードの何れかのモードで、かつ、ＷＳＳが調整機能付きＷＳＳ１５であるか否かを識別するものである。尚、Ａｄｄ−Ｄｒｏｐモードは、光伝送装置２側でスーパーチャネル信号を光分岐又は光挿入する際の設定モードである。スルーモードは、光伝送装置２側でスーパーチャネル信号の光挿入や光分岐を施すことなく、そのままスーパーチャネル信号をスルーする際の設定モードである。
【００１９】
演算部３Ｂは、光伝送システム１内の調整対象の光伝送装置２が識別されると、光伝送システム１内のシステム情報に基づき、調整対象の光伝送装置２内の調整機能付きＷＳＳ１５の透過特性に設定する調整量を算出する。演算部３Ｂは、システム情報内のトポロジ情報に基づき、例えば、調整対象の光伝送装置２に到達するまでにスーパーチャネル信号が通過する光伝送装置２の数（透過段数）を算出する。更に、演算部３Ｂは、算出された透過段数と、各光伝送装置２の設定状況と、透過段数１段相当の減衰増減量とに基づき、（数式１）で示すように、調整対象の光伝送装置２の減衰増減量を算出する。尚、（数式１）は、ｈ番目の光伝送装置２の減衰増減量を調整量として算出するものである。
【００２０】
【数１】
0005899849.tif 000002
【００２１】
また、演算部３Ｂは、調整対象の光伝送装置２に到達するまでの透過段数と、各光伝送装置２の設定状況と、透過段数１段相当の位相減衰量とに基づき、（数式２）に示すように、調整対象の光伝送装置２の位相増減量を算出する。尚、（数式２）は、ｈ番目の光伝送装置２の位相増減量を調整量として算出するものである。
【００２２】
【数２】
0005899849.tif 000003
【００２３】
光伝送装置２では、光伝送路４上で安定したスーパーチャネル信号に、例えば、新たなスーパーチャネル信号を光挿入する場合、調整機能付きＷＳＳ１５の透過特性を調整し、スーパーチャネル信号内のサブチャネル信号を調整する。
【００２４】
図３は、光伝送システム１内の光伝送装置２の一例（スルーモード時）を示す説明図である。図３に示す光伝送装置２は、光伝送路４上で受信したスーパーチャネル信号をスルーする場合でも、調整機能付きＷＳＳ１５の透過特性を調整し、スーパーチャネル信号内のサブチャネル信号を調整する。
【００２５】
図４は、光伝送システム１内の光伝送装置２の一例（信号品質差発生時）を示す説明図である。図４に示す光伝送装置２は、光伝送路４上で信号品質差の生じたスーパーチャネル信号を受信した場合、調整機能付きＷＳＳ１５の透過特性を調整し、スーパーチャネル信号内のサブチャネル信号を調整する。
【００２６】
図５は、光伝送装置２のサブチャネル信号調整のプロファイルの一例を示す説明図である。管理装置３の演算部３Ｂは、スーパーチャネル信号内のサブチャネル信号の中心周波数毎の透過特性（減衰量（ＡＴＴ）及び位相回転量（Ｐｈａｓｅ））を調整する調整量を算出する。演算部３Ｂは、図５に示す通り、ＡＴＴ１＝ＡＴＴ２＝…＝ＡＴＴＮ＝ａ［ｄＢ］及びＰｈａｓｅ１＝Ｐｈａｓｅ２＝…＝ＰｈａｓｅＮ＝θ［ｄｅｇｒｅｅ］とした調整量を算出する。その結果、調整機能付きＷＳＳ１５の透過特性は、調整量に基づき、同一減衰量及び同一位相回転量に設定する。
【００２７】
図６は、光伝送装置２のスルーモード時のサブチャネル信号調整のプロファイルの一例を示す説明図である。演算部３Ｂは、図６に示す通り、ＡＴＴ１＝ＡＴＴＮ＝ａ１、Ｐｈａｓｅ１＝ＰｈａｓｅＮ＝θ１、ＡＴＴ２＝ＡＴＴＮ−１＝ａ２及びＰｈａｓｅ２＝ＰｈａｓｅＮ−１＝θ２でスーパーチャネル信号内の両側のエッジ帯域部分のサブチャネル信号を調整する調整量を算出する。
【００２８】
更に、演算部３Ｂは、図６に示す通り、ＡＴＴ３＝ＡＴＴ４＝…＝ＡＴＴＮ−２＝ａ３及びＰｈａｓｅ３＝Ｐｈａｓｅ４＝…＝ＰｈａｓｅＮ−２＝θ３でスーパーチャネル信号内の中央帯域部分のサブチャネル信号を調整する調整量を算出する。その結果、調整機能付きＷＳＳ１５の透過特性は調整量に基づき、スーパーチャネル信号内のサブチャネル信号の内、エッジ帯域部分のサブチャネル信号の減衰量を小さく、中央帯域部分のサブチャネル信号の減衰量を大きく設定する。
【００２９】
図７は、光伝送装置２のＡｄｄ−Ｄｒｏｐモード時のサブチャネル信号調整のプロファイルの一例を示す説明図である。演算部３Ｂは、図７に示す通り、ＡＴＴ１＝ＡＴＴＮ＝ｂ１、Ｐｈａｓｅ１＝ＰｈａｓｅＮ＝θ１、ＡＴＴ２＝ＡＴＴＮ−１＝ｂ２及びＰｈａｓｅ２＝ＰｈａｓｅＮ−１＝θ２でスーパーチャネル信号内の両側のエッジ帯域部分のサブチャネル信号を調整する調整量を算出する。
【００３０】
更に、管理装置３の演算部３Ｂは、図７に示す通り、ＡＴＴ３＝ＡＴＴ４＝…＝ＡＴＴＮ−２＝ｂ３及びＰｈａｓｅ３＝Ｐｈａｓｅ４＝…＝ＰｈａｓｅＮ−２＝θ３でスーパーチャネル信号内の中央帯域部分のサブチャネル信号を調整する調整量を算出する。その結果、調整機能付きＷＳＳ１５の透過特性は、調整量に基づき、スーパーチャネル信号内のサブチャネル信号の内、エッジ帯域部分のサブチャネル信号の減衰量を小さく、中央帯域部分のサブチャネル信号の減衰量を大きく設定する。
【００３１】
管理装置３内の通知部３Ｃは、演算部３Ｂにて調整対象の光伝送装置２の調整量が算出されると、算出された調整量をＬＡＮ経由で調整対象の光伝送装置２に通知する。光伝送装置２内の制御部１７は、管理装置３からの調整量をＬＡＮ経由で受信した場合、調整量に基づき調整機能付きＷＳＳ１５の透過特性を調整する。調整機能付きＷＳＳ１５は、スーパーチャネル信号内の各サブチャネル信号の利得及び位相回転量を調整し、調整したスーパーチャネル信号を出力する。
【００３２】
調整機能付きＷＳＳ１５の透過特性は、図１に示す通り、Ａｄｄ−Ｄｒｏｐモード時に生じるスーパーチャネル信号内の両側エッジ帯域部分のサブチャネル信号の減衰量を小さく、位相回転量を正常な位相方向βに設定される。更に、調整機能付きＷＳＳ１５の透過特性は、スーパーチャネル信号内の中央帯域部分のサブチャネル信号の減衰量を大きく、位相回転量を正常な位相方向αに設定される。その結果、調整機能付きＷＳＳ１５で調整出力したスーパーチャネル信号は、両側エッジ帯域のスペクトル狭窄化を改善した信号が得られることになる。
【００３３】
次に実施例１の光伝送システム１の動作について説明する。図８は、実施例１の第１の調整量設定処理に関わる光伝送システム１の処理動作の一例を示すフローチャートである。図８に示す第１の調整量設定処理は、管理装置３側で光伝送システム１内の調整対象の光伝送装置２に調整量を設定する処理である。
【００３４】
図８において管理装置３の演算部３Ｂは、光伝送システム１内のネットワークトポロジ及び光伝送装置２の装置情報等のシステム情報を管理部３Ａから読み出す（ステップＳ１１）。演算部３Ｂは、読み出されたシステム情報に基づき、調整対象の光伝送装置２の調整機能付きＷＳＳ１５の透過特性に設定する減衰量及び位相回転量等の調整量を算出する（ステップＳ１２）。管理装置３の通知部３Ｃは、調整量が算出されると、算出された調整量を例えばＬＡＮ経由などで調整対象の光伝送装置２に通知する（ステップＳ１３）。
【００３５】
調整対象の光伝送装置２の制御部１７は、管理装置３からの調整量に基づき、調整機能付きＷＳＳ１５の透過特性を調整し（ステップＳ１４）、図８に示す処理動作を終了する。その結果、調整機能付きＷＳＳ１５は、スーパーチャネル信号内のサブチャネル信号の利得及び位相回転量を調整し、調整したスーパーチャネル信号を出力する。
【００３６】
第１の調整量設定処理では、管理装置３側で調整対象の光伝送装置２の調整機能付きＷＳＳ１５の透過特性に設定する減衰量及び位相回転量等の調整量を算出し、算出された調整量を調整対象の光伝送装置２に通知する。その結果、調整機能付きＷＳＳ１５は、スーパーチャネル信号内のサブチャネル信号間の出力差が基準閾値以下となるように、スーパーチャネル信号を調整出力できる。
【００３７】
実施例１の光伝送装置２は、調整量に基づき、調整機能付きＷＳＳ１５の透過特性を調整したので、調整機能付きＷＳＳ１５で調整出力するスーパーチャネル信号内の各サブチャネル信号間の出力差を基準閾値以下にする。その結果、光伝送路４上を伝送するスーパーチャネル信号の品質の劣化を改善できる。
【００３８】
また、管理装置３は、調整対象の光伝送装置２が識別されると、システム情報に基づき、調整対象の光伝送装置２に関わるスーパーチャネル信号の伝送経路に対応した透過段数を算出し、設定状況及び透過段数に対応した調整量を算出する。管理装置３は、調整量を調整対象の光伝送装置２に通知する。その結果、調整対象の光伝送装置２は、管理装置３から調整量を取得できる。
【００３９】
また、光伝送装置２は、調整量に基づき、スーパーチャネル信号内のエッジ帯域部分のサブチャネル信号の減衰量を小さく、スーパーチャネル信号内の中央帯域部分のサブチャネル信号の減衰量を大きくすべく、調整機能付きＷＳＳ１５の透過特性を設定した。その結果、例えば、光伝送路４上でＡｄｄ−Ｄｒｏｐを繰り返したことで生じる、スーパーチャネル信号内のエッジ帯域部分のスペクトル狭窄化を最小化し、光伝送品質を改善できる。
【００４０】
また、光伝送装置２は、調整量に基づき、スーパーチャネル信号内のエッジ帯域部分及び中央帯域部分の位相回転量を調整すべく、調整機能付きＷＳＳ１５の透過特性を設定した。その結果、例えば、光伝送路４上でＡｄｄ−Ｄｒｏｐを繰り返したことで生じる、スーパーチャネル信号内のエッジ帯域部分のスペクトル狭窄化を最小化し、光伝送品質を改善できる。
【００４１】
実施例１では、ＯＦＤＭ方式のスーパーチャネル信号内の全サブチャネル信号が、送信元及び送信先の光伝送装置２で同一である点に着目した。その結果、サブチャネル信号間の波形特性を比較する場合、送信時の波形に関する情報がなくても、同一スーパーチャネル信号内の各サブチャネル信号を使用して波形特性を比較できる。
【００４２】
尚、上記実施例１では、調整機能付きＷＳＳ１５を使用したが、例えば、調整機能を備えた調整部とＷＳＳとを別個に備え、ＷＳＳの入力段や出力段に調整部を配置するようにしても良い。
【００４３】
また、上記実施例１の演算部３Ｂは、スーパーチャネル信号内の各サブチャネル信号の中心周波数毎に調整量を算出したが、中心周波数に限定されるものではなく、サブチャネル信号を調整できる周波数ポイントであれば良く、複数ポイントであっても良い。
【００４４】
また、上記実施例１の演算部３Ｂは、図６及び図７に示す通り、ＡＴＴ１＝ＡＴＴＮ＝ａ１、ＡＴＴ２＝ＡＴＴＮ−１＝ａ２でエッジ帯域部分の両方のサブチャネル信号が同一となる調整量を算出した。しかしながら、エッジ帯域部分の両方のサブチャネル信号の調整量を同一値に限定するものではない。
【００４５】
また、管理装置３の演算部３Ｂでは、（数式１）に示す通り、光伝送装置２の透過段数、設定モード及び透過段数１段相当の減衰増減量に基づき、減衰量の調整量を算出した。しかしながら、演算部３Ｂは、光伝送装置２内の光増幅部の偏差量及び波長損失を加味し、（数式３）に示すようにしても良い。その結果、光伝送装置２内の光増幅部、光部品の利得及び光波長の波長依存損失を補償する減衰量を設定できる。
【００４６】
【数３】
0005899849.tif 000004
【００４７】
また、上記実施例１では、調整機能付きＷＳＳ１５の透過特性を調整する調整量として減衰量及び位相回転量を調整するようにしたが、減衰量のみを調整するだけでも良い。
【００４８】
また、上記実施例１では、ＯＦＤＭ方式のスーパーチャネル信号に適用して説明したが、Ｎｙｑｕｉｓｔ−ＷＤＭ方式のスーパーチャネル信号等の波長分割多重光に適用しても良い。
【００４９】
また、上記実施例１では、管理装置３からの調整量に基づき調整機能付きＷＳＳ１５の透過特性を調整したが、光伝送装置２内で自律的に調整量を補正する補正機能を光伝送装置２に内蔵させても良く、この実施の形態につき、実施例２として以下に説明する。
【実施例２】
【００５０】
図９は、実施例２の光伝送システム内の光伝送装置の一例を示す説明図である。尚、実施例１の光伝送システム１と同一の構成には同一符号を付すことで、その重複する構成及び動作の説明については省略する。図９に示す光伝送装置２Ａは、調整機能付きＷＳＳ１５と第２の光増幅部１６との間の光分岐部１２Ａ経由で光分岐されたスーパーチャネル信号のスペクトル情報を検出する、デジタルコヒーレント受信機能を内蔵したスペクトル検出部２０を有する。尚、スペクトル情報は、スーパーチャネル信号内の各サブチャネル信号に関わる情報、例えば、サブチャネル信号の出力、波長分散量（位相回転量）やベースバンドのスペクトル形状等の情報である。
【００５１】
スペクトル検出部２０は、波長多重分離フィルタ２１と、信号品質モニタ２２と、検出制御部２３とを有する。波長多重分離フィルタ２１は、光分岐されたスーパーチャネル信号を各サブチャネル信号の光波長に分離する。信号品質モニタ２２は、分離されたサブチャネル信号毎の信号品質を監視する。検出制御部２３は、各信号品質モニタ２２のモニタ結果に基づき、サブチャネル信号の出力、波長分散量やスペクトル形状等を取得する。スペクトル検出部２０は、検出されたスペクトル情報のモニタ結果をモニタ信号として制御部１７に通知する。
【００５２】
制御部１７は、各サブチャネル信号の出力を示すモニタ信号に基づき、（数式４）に示す通り、スーパーチャネル信号内の全サブチャネル信号Ｎの出力の平均値Ｐａｖｅを算出する。更に、制御部１７は、全サブチャネル信号の出力平均値Ｐａｖｅが算出されると、（数式５）に示す通り、算出された出力平均値Ｐａｖｅに各サブチャネル信号の出力Ｐｉに合う減衰量を補正量ΔＡＴＴｉとして算出する。更に、制御部１７は、算出された補正量ΔＡＴＴｉに基づき、（数式６）に示す通り、管理装置３から取得された該当サブチャネルの減衰量ＡＴＴｉを補正する。
【００５３】
【数４】
0005899849.tif 000005
【００５４】
また、制御部１７は、各サブチャネル信号の波長分散量（位相回転量）を示すモニタ信号に基づき、（数式７）に示す通り、例えば、サブチャネル信号＃１の伝達関数を算出する。尚、サブチャネル信号＃１は、例えば、エッジ帯域部分のサブチャネル信号である。更に、制御部１７は、モニタ信号に基づき、（数式８）に示す通り、例えば、サブチャネル信号＃２の伝達関数を算出する。そして、制御部１７は、（数式９）に示す通り、サブチャネル信号＃２で推定された波長分散量を基準としてエッジ部分の位相回転量を補正量Ｐｈａｓｅｎとして算出する。
【００５５】
【数５】
0005899849.tif 000006
【００５６】
尚、サブチャネル信号＃２の波長分散量を基準の波長分散量として使用したが、スーパーチャネル信号内の全サブチャネル信号の内、エッジ帯域部分以外のサブチャネル信号の波長分散量を基準の波長分散量として使用しても良い。また、基準の波長分散量は、予め設定された波長分散量を管理装置３から取得しても良い。
【００５７】
次に、実施例２の光伝送システム１の動作について説明する。図１０は、実施例２の第２の調整量設定処理に関わる光伝送システム１の処理動作の一例を示すフローチャートである。図１０に示す第２の調整量設定処理は、光伝送装置２Ａ内のスペクトル検出部２０で検出したモニタ信号に基づき、管理装置３から取得した調整量を補正する処理である。
【００５８】
図１０において管理装置３は、ステップＳ１１乃至ステップＳ１３の処理動作を実行する。そして、光伝送装置２Ａは、ステップＳ１４にて管理装置３から取得された調整量に基づき調整機能付きＷＳＳ１５の透過特性を調整する。光伝送装置２Ａのスペクトル検出部２０は、スーパーチャネル信号内の各サブチャネル信号に関わるモニタ信号を検出する（ステップＳ２１）。制御部１７は、出力差及び位相差を示すモニタ信号に基づき、出力差及び位相差が基準閾値以下であるか否かを判定する（ステップＳ２２）。
【００５９】
制御部１７は、出力差及び位相差が基準閾値以下である場合（ステップＳ２２肯定）、図１０に示す処理動作を終了する。また、制御部１７は、出力差及び位相差が基準閾値以下でない場合（ステップＳ２２否定）、出力差及び位相差に対応した減衰量及び位相回転量等の補正量を算出する（ステップＳ２３）。更に、制御部１７は、算出された補正量で調整量を補正し、補正された調整量に基づき、調整機能付きＷＳＳ１５の透過特性を調整する（ステップＳ２４）。そして、制御部１７は、調整機能付きＷＳＳ１５の透過特性を調整した後、モニタ信号を検出すべく、ステップＳ２１に移行する。
【００６０】
第２の調整量設定処理では、管理装置３側で調整対象の光伝送装置２Ａの調整機能付きＷＳＳ１５の透過特性に設定する減衰量及び位相回転量等の調整量を算出し、算出された調整量を調整対象の光伝送装置２Ａに通知する。その結果、調整機能付きＷＳＳ１５は、スーパーチャネル信号内のサブチャネル信号間の出力差が基準閾値以下となるように、スーパーチャネル信号を調整出力できる。
【００６１】
更に、第２の調整量設定処理では、調整機能付きＷＳＳ１５の透過出力のスペクトル情報をモニタ信号として検出し、モニタ信号に基づき、出力差及び位相差が基準閾値以下でない場合、出力差及び位相差に対応した補正量を算出する。更に、第２の調整量設定処理は、補正量が算出されると、算出された補正量で調整量を補正し、補正された調整量に基づき調整機能付きＷＳＳ１５の透過特性を調整した。その結果、光伝送装置２Ａは、管理装置３から取得した調整量を自律的に補正できる。
【００６２】
実施例２の光伝送装置２Ａは、調整機能付きＷＳＳ１５の透過出力のスペクトル情報をモニタ信号として検出し、モニタ信号に基づき、出力差及び位相差が基準閾値以下でない場合、出力差及び位相差に対応した補正量を算出する。更に、光伝送装置２Ａは、補正量が算出されると、算出された補正量で調整量を補正し、補正された調整量に基づき、調整機能付きＷＳＳ１５の透過特性を調整した。その結果、光伝送装置２Ａは、管理装置３から取得した調整量を自律的に補正できるため、高精度の調整が可能となる。
【００６３】
尚、上記実施例２の制御部１７では、スーパーチャネル信号内の全サブチャネル信号の出力平均値Ｐａｖｅに基づき補正量を算出した。しかしながら、制御部１７は、例えば、サブチャネル信号の出力の基準値を予め設定しておき、その設定された基準値に基づき補正量を算出しても良い。また、制御部１７は、スーパーチャネル信号内の全サブキャリア信号が送信元及び送信先の光伝送装置２で同一であることに着目し、スーパーチャネル信号内の中央帯域部分のサブチャネル信号の出力を基準値にし、この基準値に基づき補正量を算出しても良い。
【００６４】
図１１は、実施例２の光伝送装置２Ａのサブチャネル信号間の出力差を算出する処理の一例を示す説明図である。制御部１７は、図１１に示すように、スーパーチャネル信号内の各サブチャネル信号のスペクトル形状をモニタ信号として取得し、例えば、エッジ帯域部分のサブチャネル信号＃１と、エッジ帯域部分以外のサブチャネル信号＃２とを比較する。そして、制御部１７は、サブチャネル信号＃１のスペクトル形状と、サブチャネル信号＃２のスペクトル形状との比較結果に基づき、図１１の（Ｂ）に示すような、その差分（点線部分）で補正量を算出しても良い。尚、制御部１７は、狭窄化するスペクトルが短波長側又は長波長側であるかを示す情報を管理装置３から事前に取得しておくものとする。
【００６５】
図１２は、実施例２の光伝送装置２Ａのサブチャネル信号間の出力差を算出する処理の一例を示す説明図である。また、制御部１７は、図１２に示すように、サブチャネル信号＃ｎの電界を示すモニタ信号に基づき、サブチャネル信号＃ｎの電界を離散フーリエ変換することでサブチャネル信号＃ｎのスペクトルを算出する。更に、制御部１７は、サブチャネル信号＃ｎのスペクトルの内、図１２の（Ａ）に示すエッジ帯域部分のサブチャネル信号＃１のスペクトルと、図１２の（Ｂ）に示す基準サブチャネル信号のスペクトルとを比較する。そして、制御部１７は、エッジ部分のサブチャネル信号のスペクトルと基準サブチャネル信号のスペクトルとの比較結果に基づき、（数式１０）に示す通り、その差分で補正量を算出しても良い。
【００６６】
【数６】
0005899849.tif 000007
【００６７】
また、制御部１７は、スーパーチャネル信号内の中央帯域部分のサブチャネル信号のスペクトルと、エッジ帯域部分のサブチャネル信号のスペクトルとを比較する。そして、制御部１７は、エッジ帯域部分のサブチャネル信号のスペクトルと中央帯域部分のサブチャネル信号のスペクトルとの比較結果に基づき、（数式１１）及び（数式１２）に示す通り、その差分で減衰量の補正量を算出しても良い。この場合、ＯＦＤＭ方式のスーパーチャネル信号内の全サブチャネル信号は、中央帯域部分のチャネルと比較することが可能になるため、高精度なスペクトル整形が可能となる。
【００６８】
【数７】
0005899849.tif 000008
【００６９】
また、実施例２では、調整機能付きＷＳＳ１５の出力段に、スーパーチャネル信号のスペクトル情報を検出するスペクトル検出部２０を設けたが、調整機能付きＷＳＳ１５の入力段及び出力段の両方にスペクトル検出部２０を設けても良く。その実施の形態につき、実施例３として以下に説明する。
【実施例３】
【００７０】
図１３は、実施例３の光伝送システム１内の光伝送装置の一例を示す説明図である。尚、上記実施例の光伝送システム１と同一の構成には同一符号を付すことで、その重複する構成及び動作の説明については省略する。図１３に示す光伝送装置２Ｂは、第１の光増幅部１１と光分岐部１２との間に光分岐する第１の光分岐部１２Ｂと、調整機能付きＷＳＳ１５と第２の光増幅部１６との間に光分岐する第２の光分岐部１２Ｃとを有する。更に、光伝送装置２Ｂは、第１の光分岐部１２Ｂで光分岐されたスーパーチャネル信号のスペクトル情報を検出する第１のスペクトル検出部２０Ａを有する。更に、光伝送装置２Ｂは、第２の光分岐部１２Ｃで光分岐されたスーパーチャネル信号のスペクトル情報を検出する第２のスペクトル検出部２０Ｂを有する。
【００７１】
制御部１７は、第１のスペクトル検出部２０Ａによって検出されたスペクトル情報に基づき、管理装置３から取得された調整量を補正する補正量を算出する。また、制御部１７は、第２のスペクトル検出部２０Ｂによって検出されたスペクトル情報に基づき、管理装置３から取得された調整量を補正する補正量を算出する。制御部１７は、算出された補正量に基づき、調整量を補正し、補正された調整量に基づき、調整機能付きＷＳＳ１５の透過特性を調整する。
【００７２】
次に実施例３の光伝送システム１の動作について説明する。図１４は、実施例３の第３の調整量設定処理に関わる光伝送システム１の処理動作の一例を示すフローチャートである。図１４に示す第３の調整量設定処理は、光伝送装置２Ｂ内の調整機能付きＷＳＳ１５の入力段及び出力段で検出したモニタ信号に基づき、調整量を補正する処理である。
【００７３】
図１４において管理装置３は、ステップＳ１１乃至ステップＳ１３の処理動作を実行する。そして、光伝送装置２Ｂは、ステップＳ１４によって管理装置３から取得された調整量に基づき調整機能付きＷＳＳ１５の透過特性を調整する。光伝送装置２Ｂの第１のスペクトル検出部２０Ａは、調整機能付きＷＳＳ１５の入力段の第１の光分岐部１２Ｂで光分岐されたスーパーチャネル信号内の各サブチャネル信号に関わるモニタ信号を検出する（ステップＳ３１）。制御部１７は、出力差及び位相差を示すモニタ信号に基づき、目標の出力差及び位相差に対応する減衰量及び位相回転量等の補正量を算出する（ステップＳ３２）。
【００７４】
更に、制御部１７は、算出された補正量に基づき調整量を補正し、補正された調整量に基づき、調整機能付きＷＳＳ１５の透過特性を調整する（ステップＳ３３）。更に、第２のスペクトル検出部２０Ｂは、調整機能付きＷＳＳ１５の出力段の第２の光分岐部１２Ｃで光分岐されたスーパーチャネル信号内の各サブチャネル信号に関わるモニタ信号を検出する（ステップＳ３４）。
【００７５】
制御部１７は、出力差及び位相差を示すモニタ信号に基づき、出力差及び位相差が基準閾値以下であるか否かを判定する（ステップＳ３５）。制御部１７は、出力差及び位相差が基準閾値以下である場合（ステップＳ３５肯定）、図１４に示す処理動作を終了する。また、制御部１７は、出力差及び位相差が基準閾値以下でない場合（ステップＳ３５否定）、出力差及び位相差に対応した減衰量及び位相回転量等の補正量を算出する（ステップＳ３６）。更に、制御部１７は、算出した補正量で調整量を補正し、補正された調整量に基づき、調整機能付きＷＳＳ１５の透過特性を調整する（ステップＳ３７）。そして、制御部１７は、調整機能付きＷＳＳ１５の透過特性を調整した後、モニタ信号を検出すべく、ステップＳ３１に移行する。
【００７６】
第３の調整量設定処理では、管理装置３側で調整対象の光伝送装置２Ｂの調整機能付きＷＳＳ１５の透過特性に設定する減衰量及び位相回転量等の調整量を算出し、算出された調整量を調整対象の光伝送装置２Ｂに通知する。その結果、調整機能付きＷＳＳ１５は、スーパーチャネル信号内のサブチャネル信号間の出力差が基準閾値以下となるように、スーパーチャネル信号を調整出力できる。
【００７７】
更に、第３の調整量設定処理では、調整機能付きＷＳＳ１５の入力段に第１のスペクトル検出部２０Ａを配置し、第１のスペクトル検出部２０Ａで検出したモニタ信号に基づき補正量を算出し、補正量に基づき調整量を補正した。その結果、光伝送装置２Ｂは、調整機能付きＷＳＳ１５の調整前のスーパーチャネル信号のスペクトル情報に基づき、管理装置３からの調整量を自律的に補正できる。
【００７８】
また、第３の調整量設定処理では、調整機能付きＷＳＳ１５の出力段に第２のスペクトル検出部２０Ｂを配置し、第２のスペクトル検出部２０Ｂで検出したモニタ信号に基づき補正量を算出し、補正量に基づき調整量を補正した。その結果、光伝送装置２Ｂは、調整機能付きＷＳＳ１５の調整後のスーパーチャネル信号のスペクトル情報に基づき、管理装置３からの調整量を自律的に補正できる。
【００７９】
尚、図１４に示す第３の調整量設定処理では、スーパーチャネル信号単位で出力差及び位相差が基準閾値以下にあるか否かを判定した。しかしながら、スーパーチャネル信号内のサブチャネル信号単位で出力差及び位相差が基準閾値以下にあるか否かを判定するようにしても良く。第４の調整量設定処理として以下に説明する。図１５は、実施例３の第４の調整量設定処理に関わる光伝送システム１の処理動作の一例を示すフローチャートである。図１５に示す第４の調整量設定処理は、サブチャネル信号単位で出力差及び位相差が基準閾値以下であるか否かを判定し、サブチャネル信号単位で調整量を補正する処理である。
【００８０】
図１５において光伝送装置２Ｂは、ステップＳ１４によって管理装置３から取得された調整量に基づき調整機能付きＷＳＳ１５の透過特性を調整する。制御部１７は、測定対象のサブチャネル信号ｉを“１”に設定する（ステップＳ４１）。そして、第１のスペクトル検出部２０Ａは、調整機能付きＷＳＳ１５の入力段の第１の光分岐部１２Ｂで光分岐されたスーパーチャネル信号内の測定対象のサブチャネル信号ｉのモニタ信号を検出する（ステップＳ４２）。制御部１７は、測定対象のサブチャネル信号ｉの出力差及び位相差を示すモニタ信号に基づき、測定対象のサブチャネル信号ｉの出力差及び位相差に対応する減衰量及び位相回転量等の補正量を算出する（ステップＳ４３）。
【００８１】
更に、制御部１７は、算出された補正量に基づき、測定対象のサブチャネル信号ｉの調整量を補正し、補正された調整量に基づき、調整機能付きＷＳＳ１５の透過特性を調整する（ステップＳ４４）。更に、第２のスペクトル検出部２０Ｂは、第２の光分岐部１２Ｃで光分岐されたスーパーチャネル信号内の測定対象のサブチャネル信号ｉのモニタ信号を検出する（ステップＳ４５）。
【００８２】
制御部１７は、測定対象のサブチャネル信号ｉの出力差及び位相差を示すモニタ信号に基づき、測定対象のサブチャネル信号ｉの出力差及び位相差が基準閾値以下であるか否かを判定する（ステップＳ４６）。制御部１７は、出力差及び位相差が基準閾値以下である場合（ステップＳ４６肯定）、設定中の測定対象のサブチャネル信号ｉが全サブチャネル数Ｎであるか否かを判定する（ステップＳ４７）。尚、制御部１７は、スーパーチャネル信号内の全サブチャネル信号の測定対象の設定が完了したか否かを監視するものである。
【００８３】
制御部１７は、設定中の測定対象のサブチャネル信号ｉがＮである場合（ステップＳ４７肯定）、図１５に示す処理動作を終了する。また、制御部１７は、測定対象のサブチャネル信号ｉがＮでない場合（ステップＳ４７否定）、測定対象のサブチャネル信号ｉを＋１インクリメントし（ステップＳ４８）、ステップＳ４２に移行する。
【００８４】
制御部１７は、測定対象のサブチャネル信号ｉの出力差及び位相差が基準閾値以下でない場合（ステップＳ４６否定）、測定対象のサブチャネル信号ｉの出力差及び位相差に対応した減衰量及び位相回転量等の補正量を算出する（ステップＳ４９）。更に、制御部１７は、算出された補正量で測定対象のサブチャネル信号ｉの調整量を補正し、補正された調整量に基づき、調整機能付きＷＳＳ１５の透過特性を調整する（ステップＳ５０）。そして、制御部１７は、調整機能付きＷＳＳ１５の透過特性を調整した後、モニタ信号を検出すべく、ステップＳ４２に移行する。
【００８５】
第４の調整量設定処理では、調整機能付きＷＳＳ１５の入力段に第１のスペクトル検出部２０Ａを配置し、第１のスペクトル検出部２０Ａで検出したモニタ信号に基づき、サブチャネル信号単位の補正量を算出し、補正量に基づき調整量を補正した。その結果、光伝送装置２Ｂは、調整機能付きＷＳＳ１５の調整前のスーパーチャネル信号のスペクトル情報に基づき、管理装置３からの調整量をサブチャネル信号単位で自律的に補正できる。
【００８６】
また、第４の調整量設定処理では、調整機能付きＷＳＳ１５の出力段に第２のスペクトル検出部２０Ｂを配置し、第２のスペクトル検出部２０Ｂで検出したモニタ信号に基づき、サブチャネル信号単位の補正量を算出し、補正量に基づき調整量を補正した。その結果、光伝送装置２Ｂは、調整機能付きＷＳＳ１５の調整後のスーパーチャネル信号のスペクトル情報に基づき、管理装置３からの調整量をサブチャネル信号単位で自律的に補正できる。
【００８７】
上記実施例３の光伝送装置２Ｂは、調整機能付きＷＳＳ１５の入力段で検出したモニタ信号に基づき補正量を算出し、補正量に基づき調整量を補正した。その結果、光伝送装置２Ｂは、調整機能付きＷＳＳ１５の調整前のスーパーチャネル信号のスペクトル情報に基づき、管理装置３からの調整量を自律的に補正できるため、高精度な調整が可能になる。
【００８８】
また、光伝送装置２Ｂは、調整機能付きＷＳＳ１５の出力段で検出したモニタ信号に基づき補正量を算出し、補正量に基づき調整量を補正した。その結果、光伝送装置２Ｂは、調整機能付きＷＳＳ１５の調整後のスーパーチャネル信号のスペクトル情報に基づき、管理装置３からの調整量を自律的に補正できるため、高精度な調整が可能になる。
【００８９】
更に、光伝送装置２Ｂは、調整機能付きＷＳＳ１５の入力段で検出したモニタ信号に基づく補正量で調整量を補正するため、調整機能付きＷＳＳ１５の出力段の出力差及び位相差が小さくなる。その結果、調整機能付きＷＳＳ１５の出力段側のモニタ信号に基づく補正量の算出処理を高速化できる。
【００９０】
尚、上記実施例３では、調整機能付きＷＳＳ１５の入力段及び出力段にスペクトル検出部２０を夫々配置するようにしたが、１個のスペクトル検出部２０で調整機能付きＷＳＳ１５の入力段及び出力段のスーパーチャネル信号のスペクトル情報を検出しても良く。この場合の実施の形態につき、実施例４として以下に説明する。
【実施例４】
【００９１】
図１６は、実施例４の光伝送システム内の光伝送装置の一例を示す説明図である。尚、上記実施例の光伝送システム１と同一の構成には同一符号を付すことで、その重複する構成及び動作の説明については省略する。図１６に示す光伝送装置２Ｃは、第１の光増幅部１１と光分岐部１２との間に光分岐する第３の光分岐部１２Ｄと、調整機能付きＷＳＳ１５と第２の光増幅部１６との間に光分岐する第４の光分岐部１２Ｅとを有する。更に、光伝送装置２Ｃは、第３の光分岐部１２Ｄで光分岐されたスーパーチャネル信号及び第４の光分岐部１２Ｅで光分岐されたスーパーチャネル信号を切替選択するスイッチ１８を有する。光伝送装置２Ｃのスペクトル検出部２０は、スイッチ１８で切替選択されたスーパーチャネル信号のスペクトル情報を検出する。
【００９２】
制御部１７は、スペクトル検出部２０によって検出されたスペクトル情報に基づき、管理装置３から取得された調整量を補正する補正量を算出する。制御部１７は、算出された補正量に基づき、調整量を補正し、補正された調整量に基づき、調整機能付きＷＳＳ１５の透過特性を調整する。
【００９３】
次に実施例４の光伝送システム１の動作について説明する。図１７は、実施例４の第５の調整量設定処理に関わる光伝送システム１の処理動作の一例を示すフローチャートである。図１７に示す第５の調整量設定処理は、光伝送装置２Ｃ内の調整機能付きＷＳＳ１５の入力段及び出力段で検出したモニタ信号に基づき、調整量を補正する処理である。
【００９４】
図１７において管理装置３は、ステップＳ１１乃至ステップＳ１３の処理動作を実行する。そして、光伝送装置２Ｃは、ステップＳ１４によって管理装置３から取得された調整量に基づき調整機能付きＷＳＳ１５の透過特性を調整する。スペクトル検出部２０は、スイッチ１８による第３の光分岐部１２Ｄに切替設定後、第３の光分岐部１２Ｄで光分岐されたスーパーチャネル信号内の各サブチャネル信号に関わるモニタ信号を検出する（ステップＳ５１）。制御部１７は、出力差及び位相差を示すモニタ信号に基づき、目標の出力差及び位相差に対応する減衰量及び位相回転量等の補正量を算出する（ステップＳ５２）。
【００９５】
更に、制御部１７は、算出された補正量に基づき調整量を補正し、補正された調整量に基づき、調整機能付きＷＳＳ１５の透過特性を調整する（ステップＳ５３）。更に、スペクトル検出部２０は、スイッチ１８による第４の光分岐部１２Ｅに切替設定後、第４の光分岐部１２Ｅで光分岐されたスーパーチャネル信号内の各サブチャネル信号に関わるモニタ信号を検出する（ステップＳ５４）。
【００９６】
制御部１７は、出力差及び位相差を示すモニタ信号に基づき、出力差及び位相差が基準閾値以下であるか否かを判定する（ステップＳ５５）。制御部１７は、出力差及び位相差が基準閾値以下である場合（ステップＳ５５肯定）、図１７に示す処理動作を終了する。また、制御部１７は、出力差及び位相差が基準閾値以下でない場合（ステップＳ５５否定）、出力差及び位相差に対応した減衰量及び位相回転量等の補正量を算出する（ステップＳ５６）。更に、制御部１７は、算出した補正量で調整量を補正し、補正された調整量に基づき、調整機能付きＷＳＳ１５の透過特性を調整する（ステップＳ５７）。そして、制御部１７は、調整機能付きＷＳＳ１５の透過特性を調整した後、モニタ信号を検出すべく、ステップＳ５１に移行する。
【００９７】
第５の調整量設定処理では、管理装置３側で調整対象の光伝送装置２Ｃの調整機能付きＷＳＳ１５の透過特性に設定する減衰量及び位相回転量等の調整量を算出し、算出された調整量を調整対象の光伝送装置２Ｃに通知する。その結果、調整機能付きＷＳＳ１５は、スーパーチャネル信号内のサブチャネル信号間の出力差が基準閾値以下となるように、スーパーチャネル信号を調整出力できる。
【００９８】
更に、第５の調整量設定処理では、スイッチ１８を調整機能付きＷＳＳ１５の入力段側に切替え、スペクトル検出部２０で検出したモニタ信号に基づき補正量を算出し、補正量に基づき調整量を補正した。その結果、光伝送装置２Ｃは、調整機能付きＷＳＳ１５の調整前のスーパーチャネル信号のスペクトル情報に基づき、管理装置３からの調整量を自律的に補正できる。
【００９９】
また、第５の調整量設定処理では、スイッチ１８を調整機能付きＷＳＳ１５の出力段側に切替え、スペクトル検出部２０で検出したモニタ信号に基づき補正量を算出し、補正量に基づき調整量を補正した。その結果、光伝送装置２Ｃは、調整機能付きＷＳＳ１５の調整後のスーパーチャネル信号のスペクトル情報に基づき、管理装置３からの調整量を自律的に補正できる。
【０１００】
尚、図１７に示す第５の調整量設定処理では、スーパーチャネル信号単位で出力差及び位相差が基準閾値以下にあるか否かを判定した。しかしながら、スーパーチャネル信号内のサブチャネル信号単位で出力差及び位相差が基準閾値以下にあるか否かを判定するようにしても良く。第６の調整量設定処理として以下に説明する。尚、図１８は、実施例４の第６の調整量設定処理に関わる光伝送システム１の処理動作の一例を示すフローチャートである。図１８に示す第６の調整量設定処理は、サブチャネル信号単位で出力差及び位相差が基準閾値以下であるか否かを判定し、サブチャネル信号単位で調整量を補正する処理である。
【０１０１】
図１８において光伝送装置２Ｃは、ステップＳ１４によって管理装置３から取得された調整量に基づき調整機能付きＷＳＳ１５の透過特性を調整する。制御部１７は、測定対象のサブチャネル信号ｉを“１”に設定する（ステップＳ６１）。スペクトル検出部２０は、スイッチ１８による第３の光分岐部１２Ｄに切替設定後、第３の光分岐部１２Ｄで光分岐されたスーパーチャネル信号内の測定対象のサブチャネル信号ｉに関わるモニタ信号を検出する（ステップＳ６２）。制御部１７は、測定対象のサブチャネル信号ｉの出力差及び位相差を示すモニタ信号に基づき、測定対象のサブチャネル信号ｉの出力差及び位相差に対応する減衰量及び位相回転量等の補正量を算出する（ステップＳ６３）。
【０１０２】
更に、制御部１７は、算出された補正量に基づき、測定対象のサブチャネル信号ｉの調整量を補正し、補正された調整量に基づき、調整機能付きＷＳＳ１５の透過特性を調整する（ステップＳ６４）。更に、スペクトル検出部２０は、スイッチ１８による第４の光分岐部１２Ｅに切替設定後、第４の光分岐部１２Ｅで光分岐されたスーパーチャネル信号内の測定対象のサブチャネル信号ｉに関わるモニタ信号を検出する（ステップＳ６５）。
【０１０３】
制御部１７は、測定対象のサブチャネル信号ｉの出力差及び位相差を示すモニタ信号に基づき、測定対象のサブチャネル信号ｉの出力差及び位相差が基準閾値以下であるか否かを判定する（ステップＳ６６）。制御部１７は、出力差及び位相差が基準閾値以下である場合（ステップＳ６６肯定）、設定中の測定対象のサブチャネル信号ｉが全サブチャネル数Ｎであるか否かを判定する（ステップＳ６７）。尚、制御部１７は、スーパーチャネル信号内の全サブチャネル信号の測定対象の設定が完了したか否かを監視するものである。
【０１０４】
制御部１７は、設定中の測定対象のサブチャネル信号ｉがＮである場合（ステップＳ６７肯定）、図１８に示す処理動作を終了する。また、制御部１７は、測定対象のサブチャネル信号ｉがＮでない場合（ステップＳ６７否定）、測定対象のサブチャネル信号ｉを＋１インクリメントし（ステップＳ６８）、ステップＳ６２に移行する。
【０１０５】
制御部１７は、測定対象のサブチャネル信号ｉの出力差及び位相差が基準閾値以下でない場合（ステップＳ６６否定）、測定対象のサブチャネル信号ｉの出力差及び位相差に対応した減衰量及び位相回転量等の補正量を算出する（ステップＳ６９）。更に、制御部１７は、算出された補正量で測定対象のサブチャネル信号ｉの調整量を補正し、補正された調整量に基づき、調整機能付きＷＳＳ１５の透過特性を調整する（ステップＳ７０）。そして、制御部１７は、調整機能付きＷＳＳ１５の透過特性を調整した後、モニタ信号を検出すべく、ステップＳ６２に移行する。
【０１０６】
更に、第６の調整量設定処理では、スイッチ１８を調整機能付きＷＳＳ１５の入力段側に切替え、スペクトル検出部２０で検出したモニタ信号に基づき、サブチャネル信号単位の補正量を算出し、補正量に基づき調整量を補正した。その結果、光伝送装置２Ｃは、調整機能付きＷＳＳ１５の調整前のスーパーチャネル信号のスペクトル情報に基づき、管理装置３からの調整量をサブチャネル信号単位で自律的に補正できる。
【０１０７】
また、第６の調整量設定処理では、スイッチ１８を調整機能付きＷＳＳ１５の出力段に切替え、スペクトル検出部２０で検出したモニタ信号に基づき、サブチャネル信号単位の補正量を算出し、補正量に基づき調整量を補正した。その結果、光伝送装置２Ｃは、調整機能付きＷＳＳ１５の調整後のスーパーチャネル信号のスペクトル情報に基づき、管理装置３からの調整量をサブチャネル信号単位で自律的に補正できる。
【０１０８】
上記実施例４の光伝送装置２Ｃは、１個のスペクトル検出部２０で調整機能付きＷＳＳ１５の入力段及び出力段のスペクトル情報を検出したので、部品コストを低減できる。
【０１０９】
更に、光伝送装置２Ｃは、調整機能付きＷＳＳ１５の入力段で検出したモニタ信号に基づき補正量を算出し、補正量に基づき調整量を補正した。その結果、光伝送装置２Ｃは、調整機能付きＷＳＳ１５の調整前のスーパーチャネル信号のスペクトル情報に基づき、管理装置３からの調整量を自律的に補正できるため、高精度な調整が可能になる。
【０１１０】
また、光伝送装置２Ｃは、調整機能付きＷＳＳ１５の出力段で検出したモニタ信号に基づき補正量を算出し、補正量に基づき調整量を補正した。その結果、光伝送装置２Ｃは、調整機能付きＷＳＳ１５の調整後のスーパーチャネル信号のスペクトル情報に基づき、管理装置３からの調整量を自律的に補正できるため、高精度な調整が可能になる。
【０１１１】
更に、光伝送装置２Ｃは、調整機能付きＷＳＳ１５の入力段による補正量で調整量を補正するため、調整機能付きＷＳＳ１５の出力段の出力差及び位相差が小さくなる。その結果、調整機能付きＷＳＳ１５の透過出力のモニタ信号に基づく補正量の算出処理の高速化が図れる。
【０１１２】
尚、上記実施例４では、光伝送装置２Ｃ内にスペクトル検出部２０を別体として設けるようにしたが、受信部１３の内部にスペクトル検出部２０を内蔵しても良く。この場合の実施の形態につき、実施例５として以下に説明する。
【実施例５】
【０１１３】
図１９は、実施例５の光伝送システム１内の光伝送装置の一例を示す説明図である。尚、上記実施例の光伝送システム１と同一の構成には同一符号を付すことで、その重複する構成及び動作の説明については省略する。図１９に示す光伝送装置２Ｄは、スペクトル検出機能を内蔵した受信部１３Ａを有する。受信部１３Ａは、分波器６１と、受信器（Ｒｘ）６２と、スペクトル検出部２０Ｄとを有する。分波器６１は、第１の光分岐部１２で光分岐されたスーパーチャネル信号内のサブチャネル信号に分波する。更に、スペクトル検出部２０Ｄは、各分波器６１で分波されたサブチャネル信号のスペクトル情報を検出する。尚、スペクトル検出部２０Ｄは、前述したスペクトル検出部２０の内部構成とほぼ同じである。
【０１１４】
また、光伝送装置２Ｄは、受信部１３Ａ内のスペクトル検出部２０Ｄで検出したスペクトル情報のモニタ結果をモニタ信号として、光伝送路４又は例えばＬＡＮ経由などで光伝送システム１内の他の光伝送装置２Ｄに転送する。
【０１１５】
また、光伝送装置２Ｄの制御部１７は、下流側の光伝送装置２Ｄからモニタ信号を受信すると、モニタ信号に基づき補正量を算出する。制御部１７は、補正量で調整量を補正し、補正された調整量に基づき調整機能付きＷＳＳ１５の透過特性を調整する。
【０１１６】
次に実施例５の光伝送システム１の動作について説明する。図２０は、実施例５の第７の調整量設定処理に関わる光伝送システム１の処理動作の一例を示すフローチャートである。図２０に示す第７の調整量設定処理は、光伝送装置２Ｄ内で検出したモニタ信号を上流側の光伝送装置２に転送する処理である。
【０１１７】
図２０において管理装置３は、ステップＳ１１乃至ステップＳ１３の処理動作を実行する。そして、光伝送装置２Ｄは、ステップＳ１４によって管理装置３から取得された調整量に基づき調整機能付きＷＳＳ１５の透過特性を調整する。更に、光伝送装置２Ｄのスペクトル検出部２０Ｄは、第１の光分岐部１２で光分岐されたスーパーチャネル信号内の各サブチャネル信号に関わるモニタ信号を検出する（ステップＳ７１）。
【０１１８】
光伝送装置２Ｄの制御部１７は、モニタ信号を検出すると、モニタ信号を上流側の光伝送装置２に転送し（ステップＳ７２）、図２０に示す処理動作を終了する。
【０１１９】
第７の調整量設定処理では、管理装置３側で調整対象の光伝送装置２Ｄの調整機能付きＷＳＳ１５の透過特性に関わる減衰量及び位相回転量等の調整量を算出し、算出された調整量を調整対象の光伝送装置２Ｄに通知する。その結果、調整機能付きＷＳＳ１５は、スーパーチャネル信号内のサブチャネル信号間の出力差が基準閾値以下となるように、スーパーチャネル信号を調整出力できる。
【０１２０】
更に、第７の調整量設定処理は、調整機能付きＷＳＳ１５の透過出力のスペクトル情報をモニタ信号として検出し、モニタ信号を上流側の光伝送装置２に転送する。その結果、上流側の光伝送装置２Ｄは、下流側の光伝送装置２Ｄのモニタ信号に基づき補正量を算出し、算出された補正量に基づき調整量を補正し、調整量に基づき調整機能付きＷＳＳ１５の透過特性を調整できる。
【０１２１】
次に光伝送装置２Ｄが上流側の光伝送装置２にモニタ信号を転送する場合の動作について説明する。図２１は、実施例５の光伝送システム１内の光伝送装置２Ｄのモニタ信号転送の動作の一例を示す説明図である。図２１の（Ａ）は、＃１の光伝送装置２→＃２の光伝送装置２→＃３の光伝送装置２→＃４の光伝送装置２の順にスーパーチャネル信号を伝送する形態において＃１〜＃４の光伝送装置２が全て光伝送装置２Ｄの場合である。
【０１２２】
＃４の光伝送装置２Ｄは、スペクトル検出部２０Ｄを通じてスペクトル情報としてモニタ信号を検出すると、モニタ信号を上流側の＃３の光伝送装置２Ｄに転送する。その結果、＃３の光伝送装置２Ｄは、モニタ信号を検出すると、モニタ信号に基づき補正量を算出する。そして、＃３の光伝送装置２Ｄは、補正量に基づき調整量を補正し、補正された調整量に基づき調整機能付きＷＳＳ１５の透過特性を調整する。
【０１２３】
また、＃３の光伝送装置２Ｄは、スペクトル検出部２０Ｄを通じてスペクトル情報としてモニタ信号を検出すると、モニタ信号を上流側の＃２の光伝送装置２Ｄに転送する。その結果、＃２の光伝送装置２Ｄは、モニタ信号を検出すると、モニタ信号に基づき補正量を算出する。そして、＃２の光伝送装置２Ｄは、補正量に基づき調整量を補正し、補正された調整量に基づき調整機能付きＷＳＳ１５の透過特性を調整する。
【０１２４】
また、＃２の光伝送装置２Ｄは、スペクトル検出部２０Ｄを通じてスペクトル情報としてモニタ信号を検出すると、モニタ信号を上流側の＃１の光伝送装置２Ｄに転送する。その結果、＃１の光伝送装置２Ｄは、モニタ信号を検出すると、モニタ信号に基づき補正量を算出する。そして、＃１の光伝送装置２Ｄは、補正量に基づき調整量を補正し、補正された調整量に基づき調整機能付きＷＳＳ１５の透過特性を調整する。
【０１２５】
＃４の光伝送装置２Ｄは、上流側の光伝送装置２がスペクトル検出機能及び調整機能を内蔵した＃３の光伝送装置２Ｄの場合、モニタ信号を検出すると、そのモニタ信号を上流側の＃３の光伝送装置２Ｄに伝送する。そして、＃３の光伝送装置２Ｄは、モニタ信号に基づき補正量を算出し、算出した補正量に基づき調整量を算出し、算出した調整量に基づき自分の調整機能付きＷＳＳ１５の透過特性を調整できる。
【０１２６】
また、図２１の（Ｂ）に示す＃３の光伝送装置２は、スペクトル検出部２０Ｄを内蔵していないものの、調整機能付きＷＳＳ１５を内蔵した光伝送装置２Ｘとし、＃１、＃２及び＃４の光伝送装置２は、全て光伝送装置２Ｄとする。
【０１２７】
＃４の光伝送装置２Ｄは、スペクトル検出部２０Ｄを通じてスペクトル情報としてモニタ信号を検出すると、モニタ信号を上流側の＃３の光伝送装置２Ｘに転送する。更に、＃４の光伝送装置２Ｄは、上流側の＃３の光伝送装置２Ｘがスペクトル検出部なし、調整機能付きＷＳＳ１５を内蔵していることを認識しているため、その上流側の＃２の光伝送装置２Ｄにモニタ信号を転送する。
【０１２８】
＃３の光伝送装置２Ｘは、モニタ信号を検出すると、モニタ信号に基づき補正量を算出する。そして、＃３の光伝送装置２Ｘは、補正量に基づき調整量を補正し、補正された調整量に基づき調整機能付きＷＳＳ１５の透過特性を調整する。
【０１２９】
また、同様に、＃２の光伝送装置２Ｄは、モニタ信号を検出すると、モニタ信号に基づき補正量を算出する。そして、＃２の光伝送装置２Ｄは、補正量に基づき調整量を補正し、補正された調整量に基づき調整機能付きＷＳＳ１５の透過特性を調整する。この際、＃３の光伝送装置２Ｘ及び＃２の光伝送装置２Ｄは、同一のモニタ信号に基づき補正量を調整するため、夫々算出した補正量の１／２の補正量に基づき調整量を補正する。尚、補正量の分割は、１／２に限定されるものではない。
【０１３０】
更に、＃２の光伝送装置２Ｄは、スペクトル検出部２０Ｄを通じてスペクトル情報としてモニタ信号を検出すると、モニタ信号を上流側の＃１の光伝送装置２Ｄに転送する。その結果、＃１の光伝送装置２Ｄは、モニタ信号を検出すると、モニタ信号に基づき補正量を算出する。そして、＃１の光伝送装置２Ｄは、補正量に基づき調整量を補正し、補正された調整量に基づき調整機能付きＷＳＳ１５の透過特性を調整する。
【０１３１】
＃４の光伝送装置２Ｄは、上流側の光伝送装置２が、スペクトル検出機能がなく、調整機能を内蔵した＃３の光伝送装置２Ｘで、光伝送装置２Ｘの上流が＃２の光伝送装置２Ｄの場合、モニタ信号を＃３の光伝送装置２Ｘ及び＃２の光伝送装置２Ｄに転送した。その結果、＃３の光伝送装置２Ｘ及び＃２の光伝送装置２Ｄは、モニタ信号に基づき補正量を算出し、算出した補正量に基づき調整量を算出し、算出した調整量に基づき自分の調整機能付きＷＳＳ１５の透過特性を調整できる。
【０１３２】
また、図２１の（Ｃ）に示す＃３の光伝送装置２は、スペクトル検出機能及び調整機能なしのＷＳＳを内蔵した光伝送装置２Ｙとし、＃１、＃２及び＃４の光伝送装置２は、全て光伝送装置２Ｄとする。
【０１３３】
＃４の光伝送装置２Ｄは、スペクトル検出部２０Ｄを通じてスペクトル情報としてモニタ信号を検出すると、＃３の光伝送装置２Ｙがスペクトル検出機能及び調整機能なしのＷＳＳを内蔵しているため、その上流側の＃２の光伝送装置２Ｄにモニタ信号を転送する。
【０１３４】
＃２の光伝送装置２Ｄは、モニタ信号を検出すると、モニタ信号に基づき補正量を算出する。そして、＃２の光伝送装置２Ｄは、補正量に基づき調整量を補正し、補正された調整量に基づき調整機能付きＷＳＳ１５の透過特性を調整する。更に、＃２の光伝送装置２Ｄは、スペクトル検出部２０Ｄを通じてスペクトル情報としてモニタ信号を検出すると、モニタ信号を上流側の＃１の光伝送装置２Ｄに転送する。
【０１３５】
その結果、＃１の光伝送装置２Ｄは、モニタ信号を検出すると、モニタ信号に基づき補正量を算出する。そして、＃１の光伝送装置２Ｄは、補正量に基づき調整量を補正し、補正された調整量に基づき調整機能付きＷＳＳ１５の透過特性を調整する。
【０１３６】
＃４の光伝送装置２Ｄは、上流側の光伝送装置２が、スペクトル検出機能及び調整機能なしの＃３の光伝送装置２Ｙで、その光伝送装置２Ｙの上流が＃２の光伝送装置２Ｄの場合、検出したモニタ信号を＃２の光伝送装置２Ｄに転送した。その結果、＃２の光伝送装置２Ｄは、モニタ信号に基づき補正量を算出し、算出した補正量に基づき調整量を算出し、算出した調整量に基づき自分の調整機能付きＷＳＳ１５の透過特性を調整できる。
【０１３７】
実施例５の光伝送装置２Ｄは、スペクトル検出部２０Ｄを受信部１３Ａに内蔵し、スペクトル検出部２０Ｄで検出したモニタ信号を上流側の光伝送装置２に転送した。その結果、上流側の光伝送装置２は、下流側の光伝送装置２Ｄからのモニタ信号に基づき補正量を算出し、算出した補正量に基づき調整量を算出できるため、高精度の調整が可能となる。
【０１３８】
尚、実施例５の光伝送装置２Ｄは、モニタ信号を検出すると、そのモニタ信号を上流側の光伝送装置２に転送したが、管理装置３に転送しても良い。
【０１３９】
また、光伝送装置２は、スーパーチャネル信号を送信する送信部１３に、スーパーチャネル信号内のサブチャネル信号の利得及び位相回転量等を調整する調整機能を備えても良く、この場合の実施の形態につき、実施例６として以下に説明する。
【実施例６】
【０１４０】
図２２は、実施例６の光伝送システム内の光伝送装置の一例を示す説明図である。尚、上記実施例の光伝送システム１と同一の構成には同一符号を付すことで、その重複する構成及び動作の説明については省略する。図２２に示す光伝送装置２Ｅは、調整機能付き送信部３０を有する。調整機能付き送信部３０は、スーパーチャネル信号を送信する機能と、スーパーチャネル信号内のサブチャネル信号の利得及び位相回転量等を調整する調整機能を内蔵したものである。制御部１７は、管理装置３から取得された調整量に基づき、調整機能付きＷＳＳ１５及び調整機能付き送信部３０を調整する。
【０１４１】
図２３は、実施例６の光伝送装置２Ｅの調整機能付き送信部３０の一例を示す説明図である。図２３に示す調整機能付き送信部３０は、光源部３１と、光送信器３２と、調整機能付き合波器３３と、合波器３４とを有する。光源部３１は、異なる光波長の光信号を生成する。光送信器３２は、光源部３１で生成された光信号を光変調してサブチャネル信号を送信する。更に、調整機能付き合波器３３は、各光送信器３２で送信された複数のサブチャネル信号を合波してスーパーチャネル信号を生成する。制御部１７は、調整量に基づき、調整機能付き合波器３３の透過特性を調整して、合波するサブチャネル信号の利得及び位相回転量を調整する。
【０１４２】
更に、合波器３４は、各調整機能付き合波器３３で生成したスーパーチャネル信号を合波し、合波されたスーパーチャネル信号を調整機能付きＷＳＳ１５に光挿入する。
【０１４３】
図２３の調整機能付き送信部３０は、サブチャネル信号を合波してスーパーチャネル信号を生成する合波器に調整機能を内蔵した調整機能付き合波器３３を備えたので、設定ダイナミックレンジを広げることができる。
【０１４４】
尚、図２３に示す調整機能付き送信部３０は、複数のサブチャネル信号を合波する合波器に調整機能を内蔵したが、例えば、複数のスーパーチャネル信号を合波する合波器３４に調整機能を内蔵しても良い。また、光送信器３２に調整機能を内蔵しても良い。
【０１４５】
尚、調整機能付き送信部３０を、下記の通り、図２４又は図２５に示す通りに変更しても良い。図２４は、実施例６の光伝送装置２Ｅの調整機能付き送信部３０の一例を示す説明図である。図２４に示す調整機能付き送信部３０Ａは、光送信器３２と合波器３４との間の合波器３３を、スペクトル整形フィルタ３５と、合波器３３Ａとで構成しても良い。スペクトル整形フィルタ３５は、光送信器３２で送信するサブチャネル信号の利得及び位相回転量を調整する。制御部１７は、管理装置３から取得した調整量に基づき、スペクトル整形フィルタ３５の透過特性を調整する。
【０１４６】
合波器３３Ａは、各スペクトル整形フィルタ３５で調整されたサブチャネル信号を合波してスーパーチャネル信号を生成する。そして、合波器３４は、各合波器３３Ａで合波されたスーパーチャネル信号を合波し、合波されたスーパーチャネル信号を調整機能付きＷＳＳ１５に光挿入する。
【０１４７】
図２４の調整機能付き送信部３０Ａは、サブチャネル信号を合波してスーパーチャネル信号を生成する合波器３３Ａの入力段に調整機能を内蔵したスペクトル整形フィルタ３５を備えたので、設定ダイナミックレンジを広げることができる。
【０１４８】
図２５は、実施例６の光伝送装置２Ｅの調整機能付き送信部３０の一例を示す説明図である。図２５に示す調整機能付き送信部３０Ｂは、調整部４１と、線形／非線形予等化処理部４２と、デジタルアナログ変換部（ＤＡＣ）４３と、増幅部４４と、光源部４５と、光変調器４６と、偏波光結合器(ＰＢＣ：Polarization  beam  combiner)４７とを有する。
【０１４９】
調整部４１は、調整機能付きＷＳＳ１５で透過する際にスーパーチャネル信号の両側のエッジ帯域部分のスペクトルが狭窄化しないように、電気信号の入力データを調整する。尚、制御部１７は、調整部４１を制御するものである。線形／非線形予等化処理部４２は、調整部４１にて調整された入力データに対して線形／非線形予等化処理を実行する。ＤＡＣ４３は、線形／非線形予等化処理を施した入力データをアナログ変換する。
【０１５０】
増幅部４４は、アナログ信号を増幅する。更に、光変調器４６は、増幅されたアナログ信号を光源部４５の光波長で変調してサブチャネル信号を得る。ＰＢＣ４７は、各光変調器４６のサブチャネル信号を結合する。ＰＢＣ４７は、結合されたサブチャネル信号でスーパーチャネル信号を調整機能付きＷＳＳ１５に光挿入する。
【０１５１】
図２５の調整機能付き送信部３０Ｂは、光変調器４６で光変調される前の信号の段階で利得及び位相回転量を調整したので、設定ダイナミックレンジを広げることができる。
【０１５２】
実施例６の光伝送装置２Ｅは、調整機能を送信部に備えた調整機能付き送信部３０を内蔵したので、設定ダイナミックレンジを広げることができる。
【０１５３】
上記実施例６では、光伝送装置２内の送信部にサブチャネル信号の利得及び位相回転量を調整する調整機能を備えるようにしても良く。この場合の実施の形態につき、実施例７として以下に説明する。
【実施例７】
【０１５４】
図２６は、実施例７の光伝送システム１内の光伝送装置の一例を示す説明図である。尚、上記実施例の光伝送システム１と同一の構成には同一符号を付すことで、その重複する構成及び動作の説明については省略する。図２６に示す光伝送装置２Ｆは、調整機能付き受信部５０を有する。調整機能付き受信部５０は、光分岐部１２で光分岐されたスーパーチャネル信号を受信する機能と、スーパーチャネル信号内のサブチャネル信号の利得及び位相回転量等を調整する調整機能を内蔵したものである。
【０１５５】
制御部１７は、管理装置３から取得された調整量に基づき、調整機能付きＷＳＳ１５及び調整機能付き受信部５０の透過特性を調整する。
【０１５６】
図２７は、実施例７の光伝送装置２Ｆの調整機能付き受信部５０の一例を示す説明図である。図２７に示す調整機能付き受信部５０は、調整機能付き分波器５１と、受信器５２とを有する。調整機能付き分波器５１は、光分岐部１２で分岐された複数のスーパーチャネル信号を光分波する。更に、調整機能付き分波器５１は、光分波された各スーパーチャネル信号内の両側エッジ帯域部分のサブチャネル信号の利得及び位相回転量を調整する。尚、調整機能付き分波器５１は、制御部１７によって制御されるものである。受信器５２は、調整されたスーパーチャネル信号を受信する。
【０１５７】
図２７に示す調整機能付き受信部５０は、複数のスーパーチャネル信号を分波する分波器に調整機能を内蔵した調整機能付き分波器５１を備えたので、設定ダイナミックレンジを広げることができる。
【０１５８】
尚、調整機能付き受信部５０を、下記の通り、図２８又は図２９に示すように変更しても良い。図２８は、実施例７の光伝送装置２Ｆの調整機能付き受信部５０の一例を示す説明図である。図２８に示す調整機能付き受信部５０Ａは、分波器５１Ａ及び受信器５２の他に、分波器５１Ａの入力段に調整機能を備えたフィルタ５３を有する。フィルタ５３は、光分岐部１２で分岐された複数のスーパーチャネル信号内のサブチャネル信号の減衰量及び位相回転量を調整する。尚、制御部１７は、調整機能付き受信部５０を制御するものである。そして、分波器５１Ａは、調整された複数のスーパーチャネル信号を分波する。
【０１５９】
図２８に示す調整機能付き受信部５０Ａは、スーパーチャネル信号を分波する分波器５１Ａの入力段に調整機能のフィルタ５３を内蔵したので、設定ダイナミックレンジを広げることができる。
【０１６０】
また、図２９は、実施例７の光伝送装置２Ｆの調整機能付き受信部５０の一例を示す説明図である。図２９に示す調整機能付き受信部５０Ｂは、分波器５１Ａ及び受信器５２の他に、分波器５１Ａと受信器５２との間に調整機能を備えたフィルタ５３Ａを有する。
【０１６１】
フィルタ５３Ａは、分波器５１Ａで分波されたスーパーチャネル信号内のサブチャネル信号の利得及び位相回転量を調整する。尚、制御部１７は、調整機能付き受信部５０を制御する。受信器５２は、フィルタ５３Ａで調整されたスーパーチャネル信号を受信する。
【０１６２】
図２９に示す調整機能付き受信部５０Ｂは、分波器５１Ａと受信器５２との間に、調整機能を備えたフィルタ５３Ａを内蔵したので、設定ダイナミックレンジを広げることができる。
【０１６３】
実施例７の光伝送装置２Ｆは、調整機能を受信部に内蔵した調整機能付き受信部５０を備えたので、設定ダイナミックレンジを広げることができる。
【０１６４】
尚、上記実施例では、ＯＦＤＭ方式のスーパーチャネル信号に適用したが、前述した通り、Ｎｙｑｕｉｓｔ−ＷＤＭ方式に適用しても良く、更に、通常のＷＤＭ方式に適用しても良い。
【０１６５】
上記実施例のスペクトル検出部２０は、デジタルコヒーレント受信機能を備えた。しかしながら、スペクトル検出部２０は、例えば、可変フィルタと、フォトダイオードと、演算部とで構成しても良く。この場合、演算部は、可変フィルタのフィルタ帯域を可変し、スーパーチャネル信号内の各サブチャネル信号を順次抽出し、フォトダイオードで各サブチャネル信号の出力を得るようにしても良い。また、スペクトル検出部２０は、分光素子と、複数のフォトダイオードと、演算部とで構成しても良い。この場合、演算部は、分光素子を使用してスーパーチャネル信号内のサブチャネル信号を分光し、分光された各サブチャネル信号の出力を得るようにしても良い。
【０１６６】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１６７】
更に、例えば、制御部１７、管理部３Ａ、演算部３Ｂ、通知部３Ｃなどの各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【０１６８】
ところで、本実施例で説明した各種の処理は、予め用意されたプログラムをコンピュータで実行することによって実現できる。そこで、以下では、上記実施例と同様の機能を有するプログラムを実行するコンピュータの一例を説明する。図３０は、調整処理プログラムを実行するコンピュータの一例を示す説明図である。
【０１６９】
図３０に示す調整処理プログラムを実行するコンピュータ１００では、ＨＤＤ（Hard  Disk  Drive）１１０、ＲＡＭ(Random  Access  Memory)１２０、ＲＯＭ（Read  Only  Memory）１３０及びＣＰＵ１４０を有する。更に、コンピュータ１００は、操作部１５０、表示部１６０及び通信部１７０を有する。そして、コンピュータ１００は、ＨＤＤ１１０、ＲＡＭ１２０、ＲＯＭ１３０、ＣＰＵ１４０、操作部１５０、表示部１６０及び通信部１７０がバス１８０を介して接続される。
【０１７０】
そして、ＨＤＤ１１０には、上記実施例と同様の機能を発揮する調整処理プログラムが予め記憶されている。尚、ＨＤＤ１１０ではなく、ＲＯＭ１３０や、図示せぬドライブでコンピュータ読取可能な記録媒体に情報表示プログラムが記録されていても良い。また、記録媒体としては、例えば、ＣＤ−ＲＯＭ、ＤＶＤディスク、ＵＳＢメモリ等の可搬型記録媒体、フラッシュメモリ等の半導体メモリ等でも良い。調整処理プログラムとしては、図３０に示すように、算出プログラム１１０Ａ及び通知プログラム１１０Ｂである。尚、プログラム１１０Ａ及び１１０Ｂについては、図１に示した管理装置３の各構成要素と同様、適宜統合又は分散してもよい。
【０１７１】
そして、ＣＰＵ１４０が、これらのプログラム１１０Ａ及び１１０ＢをＨＤＤ１１０から読み出してＲＡＭ１２０上で実行する。そして、図３０に示すように、各プログラム１１０Ａ及び１１０Ｂは、ＲＡＭ１２０上で算出プロセス１２０Ａ及び通知プロセス１２０Ｂとして機能するようになる。
【０１７２】
ＨＤＤ１１０は、光伝送システム内の光伝送装置毎のシステム情報を格納している。ＣＰＵ１４０は、ＨＤＤ１１０内のシステム情報に基づき、光伝送装置側の調整部で調整出力する波長分割多重光内のチャネル間の光強度差が基準閾値を超えないように、光伝送装置側の前記調整部を調整する調整量を算出する。更に、ＣＰＵ１４０は、算出された調整量を光伝送装置に通知する。その結果、光伝送装置は、コンピュータ１００からの調整量に基づき調整部を調整したので、調整出力された波長分割多重光の伝送品質を改善できる。
【０１７３】
以上、本実施例を含む実施の形態に関し、更に以下の付記を開示する。
【０１７４】
（付記１）光伝送路を通じて波長分割多重光を伝送する複数の光伝送装置と、前記光伝送装置を管理する管理装置とを有する光伝送システムであって、
前記光伝送装置は、
前記波長分割多重光内の各チャネルの光強度を調整する調整部と、
前記管理装置からの調整量に基づき、前記調整部を制御する制御部と
を有し、
前記管理装置は、
前記光伝送システム内の前記光伝送装置毎のシステム情報に基づき、前記光伝送装置側の前記調整部で調整出力する前記波長分割多重光内のチャネル間の光強度差が基準閾値を超えないように、前記調整量を算出する演算部と、
前記演算部によって算出された前記調整量を前記光伝送装置に通知する通知部と
を有することを特徴とする光伝送システム。
【０１７５】
（付記２）前記演算部は、
前記波長分割多重光内の中央帯域のチャネルの光強度を前記波長分割多重光内のエッジ帯域のチャネルの光強度より小さくする前記調整量を算出することを特徴とする付記１に記載の光伝送システム。
【０１７６】
（付記３）前記システム情報は、
前記光伝送装置の種別毎に、基準調整量と、前記波長分割多重光が通過した通過段数に応じた調整増減量とを含み、
前記演算部は、
前記基準調整量及び、前記通過段数に応じた調整増減量に基づき、前記調整量を算出することを特徴とする付記１又は２に記載の光伝送システム。
【０１７７】
（付記４）前記演算部は、
前記波長分割多重光内の各チャネルの光強度を減衰する減衰量を前記調整量として算出することを特徴とする付記１〜３の何れか一つに記載の光伝送システム。
【０１７８】
（付記５）前記調整部は、前記波長分割多重光内の各チャネルの位相を調整し、
前記演算部は、前記波長分割多重光内のチャネル間の位相差が基準閾値を超えないように、前記波長分割多重光内の各チャネルの位相回転を調整する位相回転量を前記調整量として算出することを特徴とする付記１〜４の何れか一つに記載の光伝送システム。
【０１７９】
（付記６）前記光伝送装置は、
前記波長分割多重光のスペクトル情報を検出する検出部を有し、
前記制御部は、
前記検出部によって検出された前記スペクトル情報に基づき、前記波長分割多重光が基準閾値を超えないように、前記調整量を補正することを特徴とする付記１〜５の何れか一つに記載の光伝送システム。
【０１８０】
（付記７）前記光伝送装置は、
前記波長分割多重光のスペクトル情報を検出する検出部を有し、
前記制御部は、
前記検出部によって検出された前記スペクトル情報に基づき、前記波長分割多重光内のチャネル間の光強度差が基準閾値を超えないように、前記調整量を補正することを特徴とする付記１〜５の何れか一つに記載の光伝送システム。
【０１８１】
（付記８）前記光伝送装置は、
前記調整部の入力段に配置され、前記波長分割多重光のスペクトル情報を検出する第１の検出部と、
前記調整部の出力段に配置され、前記波長分割多重光のスペクトル情報を検出する第２の検出部と
を有し、
前記制御部は、
前記第１の検出部又は前記第２の検出部によって検出された前記波長分割多重光のスペクトル情報に基づき、前記波長分割多重光内のチャネル間の光強度差が基準閾値を超えないように、前記調整量を補正することを特徴とする付記１〜５の何れか一つに記載の光伝送システム。
【０１８２】
（付記９）前記光伝送装置は、
前記光伝送路を通じて前記波長分割多重光を受信する受信部を有し、
前記受信部は、
前記波長分割多重光のスペクトル情報を検出する検出部と、
前記検出部にて検出されたスペクトル情報を、前記波長分割多重光を送信した上流側の光伝送装置に通知する通知部と
を有し、
前記制御部は、
下流側の光伝送装置から前記スペクトル情報を検出すると、前記スペクトル情報に基づき、前記波長分割多重光内のチャネル間の光強度差が基準閾値を超えないように、前記調整量を補正することを特徴とする付記１〜５の何れか一つに記載の光伝送システム。
【０１８３】
（付記１０）前記光伝送装置は、
前記波長分割多重光を前記光伝送路に送信する送信部を有し、
前記送信部は、
前記波長分割多重光内のチャネル間の光強度差が基準閾値を超えないように前記波長分割多重光を調整する調整部を内蔵し、この調整部にて調整された前記波長分割多重光を前記光伝送路に送信出力することを特徴とする付記１〜５の何れか一つに記載の光伝送システム。
【０１８４】
（付記１１）前記光伝送装置は、
前記波長分割多重光を前記光伝送路から受信する受信部を有し、
前記受信部は、
前記波長分割多重光内のチャネル間の光強度差が基準閾値を超えないように前記波長分割多重光を調整する調整部を内蔵し、この調整部にて調整された前記波長分割多重光を受信出力することを特徴とする付記１〜５の何れか一つに記載の光伝送システム。
【０１８５】
（付記１２）前記制御部は、
前記スペクトル情報に基づき、前記波長分割多重光内の中央帯域のチャネルと、前記波長分割多重光内の帯域の内、前記中央帯域以外の帯域のチャネルとの差分で光強度差を算出し、算出された光強度差が前記基準閾値を超えないように、前記調整量を補正することを特徴とする付記６に記載の光伝送システム。
【０１８６】
（付記１３）前記制御部は、
前記スペクトル情報に基づき、前記波長分割多重光内の各チャネルの平均光強度を算出し、算出された平均光強度とチャネルの光強度との差分で光強度差を算出し、算出された光強度差が前記基準閾値を超えないように、前記調整量を補正することを特徴とする付記６に記載の光伝送システム。
【０１８７】
（付記１４）前記制御部は、
前記スペクトル情報に基づき、前記波長分割多重光内のチャネル間の光強度差を算出し、算出された光強度差が前記基準閾値を超えないように、前記調整量を補正することを特徴とする付記６に記載の光伝送システム。
【０１８８】
（付記１５）前記制御部は、
前記スペクトル情報に基づき、前記波長分割多重光内のサブチャネル間の位相回転量差を算出し、算出された位相回転量差が前記基準閾値を超えないように、前記調整量を補正することを特徴とする付記６に記載の光伝送システム。
【０１８９】
（付記１６）前記波長分割多重光は、
複数のサブチャネル信号が多重化されたＯＦＤＭ方式のスーパーチャネル信号であることを特徴とする付記１〜１５の何れか一つに記載の光伝送システム。
【０１９０】
（付記１７）光伝送路を通じて波長分割多重光を伝送する光伝送装置であって、
前記波長分割多重光内の各チャネルの光強度を調整する調整部と、
前記波長分割多重光内のチャネル間の光強度差が基準閾値を超えないように調整する調整量を検出し、この調整量に基づき、前記調整部を制御する制御部と
を有することを特徴とする光伝送装置。
【０１９１】
（付記１８）前記光伝送装置は、
前記波長分割多重光のスペクトル情報を検出する検出部を有し、
前記制御部は、
前記検出部によって検出されたスペクトル情報に基づき、前記波長分割多重光内のチャネル間の光強度差が基準閾値を超えないように、前記調整量を補正することを特徴とする付記１７に記載の光伝送装置。
【０１９２】
（付記１９）光伝送路を通じて波長分割多重光を伝送する複数の光伝送装置を管理するコンピュータのプログラムであって、
前記光伝送システム内の前記光伝送装置毎のシステム情報に基づき、前記光伝送装置側の調整部で調整出力する前記波長分割多重光内のチャネル間の光強度差が基準閾値を超えないように、前記光伝送装置側の調整出力を調整する調整量を算出し、
算出された前記調整量を前記光伝送装置に通知する
各処理を前記コンピュータに実行させることを特徴とする信号調整プログラム。
【０１９３】
（付記２０）光伝送路を通じて波長分割多重光を伝送する複数の光伝送装置と、前記光伝送装置を管理する管理装置とを有する光伝送システムの信号調整方法であって、
前記管理装置は、
前記光伝送システム内の前記光伝送装置毎のシステム情報に基づき、前記光伝送装置側の調整部で調整出力する前記波長分割多重光内のチャネル間の光強度差が基準閾値を超えないように、前記光伝送装置側の前記調整部を調整する調整量を算出し、算出された前記調整量を前記光伝送装置に通知し、
前記光伝送装置は、
前記管理装置からの前記調整量に基づき、前記波長分割多重光内の各チャネルの光強度を調整する調整部を制御する
各処理を実行することを特徴とする信号調整方法。
【符号の説明】
【０１９４】
１  光伝送システム
２  光伝送装置
３  管理装置
３Ａ  管理部
３Ｂ  演算部
３Ｃ  通知部
４  光伝送路
１３  受信部
１５  調整機能付きＷＳＳ
１７  制御部
２０  スペクトル検出部
２０Ａ  第１のスペクトル検出部
２０Ｂ  第２のスペクトル検出部
２０Ｄ  スペクトル検出部
３０  調整機能付き送信部
３３  調整機能付き合波器
３５  スペクトル整形フィルタ
４１  調整部
５０  調整機能付き受信部
５１  調整機能付き分波器
５３  フィルタ
５３Ａ  フィルタ
【図１】
0005899849.tif 000009
【図２】
0005899849.tif 000010
【図３】
0005899849.tif 000011
【図４】
0005899849.tif 000012
【図５】
0005899849.tif 000013
【図６】
0005899849.tif 000014
【図７】
0005899849.tif 000015
【図８】
0005899849.tif 000016
【図９】
0005899849.tif 000017
【図１０】
0005899849.tif 000018
【図１１】
0005899849.tif 000019
【図１２】
0005899849.tif 000020
【図１３】
0005899849.tif 000021
【図１４】
0005899849.tif 000022
【図１５】
0005899849.tif 000023
【図１６】
0005899849.tif 000024
【図１７】
0005899849.tif 000025
【図１８】
0005899849.tif 000026
【図１９】
0005899849.tif 000027
【図２０】
0005899849.tif 000028
【図２１】
0005899849.tif 000029
【図２２】
0005899849.tif 000030
【図２３】
0005899849.tif 000031
【図２４】
0005899849.tif 000032
【図２５】
0005899849.tif 000033
【図２６】
0005899849.tif 000034
【図２７】
0005899849.tif 000035
【図２８】
0005899849.tif 000036
【図２９】
0005899849.tif 000037
【図３０】
0005899849.tif 000038
【図３１】
0005899849.tif 000039
【図３２】
0005899849.tif 000040